(57)【要約】【課題】ＶｏＩＰアダプタに添付品（純正品、規格品）外のＡＣアダプタが接続された場合に起きる電話回線のノイズ問題や焼損事故等を未然に防止する為の技術を提供することである。【解決手段】ＶｏＩＰアダプタにおけるＡＣアダプタの誤接続防止装置であって、入力電圧監視手段と、ノイズレベル監視手段と、前記入力電圧監視手段による入力電圧が基準値内のものであるか否か、かつ、前記ノイズレベル監視手段によるノイズレベルが基準値内のものであるか否かを判定する判定手段とを具備してなり、前記判定手段による判定の結果、入力電圧およびノイズレベルが共に基準値内のもので無かった場合、前記ＡＣアダプタの誤接続防止が図れるよう構成されてなる。【選択図】図１
2010181331.tif 000002
【特許請求の範囲】
【請求項１】
ＶｏＩＰアダプタにおけるＡＣアダプタの誤接続防止装置であって、
入力電圧監視手段と、
ノイズレベル監視手段と、
前記入力電圧監視手段による入力電圧が基準値内のものであるか否か、かつ、前記ノイズレベル監視手段によるノイズレベルが基準値内のものであるか否かを判定する判定手段
とを具備してなり、
前記判定手段による判定の結果、入力電圧およびノイズレベルが共に基準値内のもので無かった場合、前記ＡＣアダプタの誤接続防止が図れるよう構成されてなる
ことを特徴とするＶｏＩＰアダプタにおけるＡＣアダプタの誤接続防止装置。
【請求項２】
ＡＣアダプタ誤接続防止の構成は、前記ＡＣアダプタからの電力供給が切断されるよう構成されたものである
ことを特徴とする請求項１のＶｏＩＰアダプタにおけるＡＣアダプタの誤接続防止装置。
【請求項３】
更に警告手段を具備してなり、
ＡＣアダプタ誤接続防止の構成は、前記警告手段が作動するよう構成されたものである
ことを特徴とする請求項１又は請求項２のＶｏＩＰアダプタにおけるＡＣアダプタの誤接続防止装置。
【請求項４】
入力電圧監視手段はチャタリング防止回路を有する
ことを特徴とする請求項１〜請求項３いずれかのＶｏＩＰアダプタにおけるＡＣアダプタの誤接続防止装置。
【請求項５】
ノイズレベル監視手段はチャタリング防止回路を有する
ことを特徴とする請求項１〜請求項４いずれかのＶｏＩＰアダプタにおけるＡＣアダプタの誤接続防止装置。
【請求項６】
ノイズレベル監視手段を構成するコンパレータはヒステリシス機能を有するものである
ことを特徴とする請求項１〜請求項５いずれかのＶｏＩＰアダプタにおけるＡＣアダプタの誤接続防止装置。
【請求項７】
ＶｏＩＰアダプタにおけるＡＣアダプタの誤接続防止方法であって、
入力電圧を監視する入力電圧監視ステップと、
ノイズレベルを監視するノイズレベル監視ステップと、
前記入力電圧監視ステップにおける入力電圧が基準値内のものであるか否か、かつ、前記ノイズレベル監視ステップにおけるノイズレベルが基準値内のものであるか否かを判定する判定ステップと、
前記判定ステップにおける判定の結果、入力電圧およびノイズレベルが共に基準値内のもので無かった場合、前記ＡＣアダプタの誤接続防止が図られる誤接続防止ステップ
とを具備することを特徴とするＶｏＩＰアダプタにおけるＡＣアダプタの誤接続防止方法。
【請求項８】
誤接続防止ステップは、判定ステップにおける判定の結果、入力電圧およびノイズレベルが共に基準値内のもので無かった場合、警告手段に警告信号を出力させる警告ステップである
ことを特徴とする請求項７のＶｏＩＰアダプタにおけるＡＣアダプタの誤接続防止方法。
【請求項９】
誤接続防止ステップは、判定ステップにおける判定の結果、入力電圧およびノイズレベルが共に基準値内のもので無かった場合、ＡＣアダプタからの電力供給を遮断する電力供給遮断ステップである
ことを特徴とする請求項７のＶｏＩＰアダプタにおけるＡＣアダプタの誤接続防止方法。
【請求項１０】
誤接続防止ステップは、判定ステップにおける判定の結果、入力電圧およびノイズレベルが共に基準値内のもので無かった場合、警告手段に警告信号を出力させると共にＡＣアダプタからの電力供給を遮断するステップである
ことを特徴とする請求項７のＶｏＩＰアダプタにおけるＡＣアダプタの誤接続防止方法。
【発明の詳細な説明】
【技術分野】
【０００１】
本発明は、例えばＶｏＩＰアダプタにおけるＡＣアダプタ誤接続防止技術に関する。
【背景技術】
【０００２】
ＶｏＩＰアダプタにおいて、電話回線に発生するハムノイズは、使用するＡＣアダプタと密接な関係が有る。例えば、ＶｏＩＰアダプタに使用されるＡＣアダプタが該ＶｏＩＰアダプタに添付のＡＣアダプタで無かった場合、即ち、規格外のＡＣアダプタであった場合とか純正品とは異なるＡＣアダプタであった場合、このＡＣアダプタの電圧が仮に規格品のＡＣアダプタの定格電圧と同じであった
場合でも、ＤＣ入力−ＦＧ間に発生する電源ノイズにより、電話回線に「ブーン」と言う雑音がハムノイズとして発生することが有る。このようなことから、ＶｏＩＰアダプタを使用する際、評価済の該ＶｏＩＰアダプタに添付のＡＣアダプタを使用することが好ましい。
【０００３】
ところが、電子機器の多様化により、今日、様々なＡＣアダプタが存在しており、不注意で他のＡＣアダプタを誤接続することが考えられる。尚、ＡＣアダプタを誤接続した場合、酷い場合には、装置の損傷のみならず、焼損事故が発生する。
【０００４】
そこで、ＶｏＩＰアダプタにおけるＡＣアダプタ誤接続による被害を改善する為、ＤＣジャックの形状や色を変更して対処することが考えられる。
【０００５】
又、ＶｏＩＰアダプタにおけるＡＣアダプタ誤接続による被害を改善する為、ＡＣアダプタからの入力電圧を監視して回路保護を行うことが考えられる。
【先行技術文献】
【特許文献】
【０００６】
【特許文献１】特開昭６２−２１７０号公報
【特許文献２】特開平６−２２４５０号公報
【特許文献３】特開平８−３３１８８号公報
【特許文献４】特開２００３−１１１４３７号公報
【特許文献５】特開２００４−３２１７０号公報
【発明の概要】
【発明が解決しようとする課題】
【０００７】
しかしながら、ＡＣアダプタ誤接続防止の為にＤＣジャックの形状を変更する対処方法は、次のような問題点の有ることが判った。例えば、市販のＤＣジャックは、ＥＩＡＪ規格等で形状が規格化されており、ＤＣジャック形状を変更すると、製造コストが高くなると言うことである。
【０００８】
又、ＡＣアダプタ誤接続防止の為にＤＣジャックの色を変更する対処方法は、次のような問題点の有ることが判った。例えば、ＤＣジャックの色を変更しても、誤接続の減少効果は考えられるものの、誤接続を完全に無くすことは出来ない。従って、誤接続した際に起きる問題点の改善度合いが小さい。
【０００９】
又、ＡＣアダプタ誤接続防止の為にＡＣアダプタからの入力電圧を監視する対処方法は、次のような問題点の有ることが判った。例えば、市場には同じ定格電圧のＡＣアダプタが多数存在している。この為、同じ定格電圧ではあるものの、添付品（純正品）以外のＡＣアダプタを接続した場合、ＡＣアダプタを選別できない。そして、出力電圧が同じでも、電流容量が不足していたＡＣアダプタが接続された場合、このＡＣアダプタが異常発熱して変形したり、酷い場合には、焼損事故に繋がる。又、定格電圧が同じであっても、ＤＣ−ＦＧ間の電源ノイズは電源のリップルノイズや入出力インピーダンスが影響することから、ＤＣ−ＦＧ間に高いノイズが発生する。そして、ＤＣ−ＦＧ間に高いノイズが発生すると、ＶｏＩＰアダプタにおいては、電話回線のハムノイズ原因となる。
【００１０】
従って、本発明が解決しようとする課題は、ＶｏＩＰアダプタに添付品（純正品、規格品）外のＡＣアダプタが接続された場合に起きる電話回線のノイズ問題や焼損事故等を未然に防止する為の技術を提供することである。
【課題を解決するための手段】
【００１１】
前記の課題は、
ＶｏＩＰアダプタにおけるＡＣアダプタの誤接続防止装置であって、
入力電圧監視手段と、
ノイズレベル監視手段と、
前記入力電圧監視手段による入力電圧が基準値内のものであるか否か、かつ、前記ノイズレベル監視手段によるノイズレベルが基準値内のものであるか否かを判定する判定手段
とを具備してなり、
前記判定手段による判定の結果、入力電圧およびノイズレベルが共に基準値内のもので無かった場合、前記ＡＣアダプタの誤接続防止が図れるよう構成されてなる
ことを特徴とするＶｏＩＰアダプタにおけるＡＣアダプタの誤接続防止装置によって解決される。
【００１２】
又、ＶｏＩＰアダプタにおけるＡＣアダプタの誤接続防止方法であって、
入力電圧を監視する入力電圧監視ステップと、
ノイズレベルを監視するノイズレベル監視ステップと、
前記入力電圧監視ステップにおける入力電圧が基準値内のものであるか否か、かつ、前記ノイズレベル監視ステップにおけるノイズレベルが基準値内のものであるか否かを判定する判定ステップと、
前記判定ステップにおける判定の結果、入力電圧およびノイズレベルが共に基準値内のもので無かった場合、前記ＡＣアダプタの誤接続防止が図られる誤接続防止ステップ
とを具備することを特徴とするＶｏＩＰアダプタにおけるＡＣアダプタの誤接続防止方法によって解決される。
【発明の効果】
【００１３】
ＶｏＩＰアダプタに規格外のＡＣアダプタが接続された場合、電話回線にハムノイズが重畳され、雑音問題が発生したり、酷い場合には、装置に過電圧が掛かり、装置故障とか焼損事故等が発生するが、斯かる問題点が解決されるようになる。
【図面の簡単な説明】
【００１４】
【図１】本発明になるＶｏＩＰアダプタにおけるＡＣアダプタの誤接続防止装置の概略図
【図２】本発明になるＡＣアダプタの誤接続防止装置に用いられる入力電圧監視回路の概略図
【図３】本発明になるＡＣアダプタの誤接続防止装置に用いられるノイズレベル監視回路の概略図
【図４】本発明になるＡＣアダプタの誤接続防止装置に用いられるＡＣアダプタ判定回路の概略図
【図５】他のノイズレベル監視回路の概略図
【図６】他のノイズレベル監視回路の概略図
【発明を実施するための形態】
【００１５】
本発明はＶｏＩＰアダプタにおけるＡＣアダプタの誤接続防止装置である。本発明の装置は、入力電圧監視手段と、ノイズレベル監視手段と、判定手段とを具備する。前記入力電圧監視手段は、接続されたＡＣアダプタの出力電圧レベルをチェックし、電圧レベルが予め設定されている値の範囲以内であれば、出力信号をＨｉｇｈ出力する機能を有するものである。これは、例えば複数のコンパレータを用いることで構成できる。前記ノイズレベル監視手段は、ＶｏＩＰアダプタ(本アダプタはＦＧ（Frame  Ground）−ＳＧ（Signal   Ground）をショートする機能を有する。）のＤＣ入力とＦＧ間のノイズレベルが、予め、設定されているノイズレベル以下であれば、出力信号をＨｉｇｈ出力する機能を有するものである。これはコンパレータを用いることで構成できる。前記判定手段は、前記入力電圧監視手段による入力電圧が基準値内のものであるか否か、かつ、前記ノイズレベル監視手段によるノイズレベルが基準値内のものであるか否かを判定する。例えば、入力電圧監視手段の出力信号とノイズレベル監視手段の出力信号を判定する。そして、判定手段による判定の結果、入力電圧およびノイズレベルが共に基準値内のもので無かった場合、例えば出力信号が共にＨｉｇｈでなかった場合、ＡＣアダプタの誤接続防止が図れるよう構成されている。前記ＡＣアダプタ誤接続防止の構成は、例えばＡＣアダプタからの電力供給が切断されるよう構成されたものである。より具体的に述べると、電源スイッチであるリレー回路をＯＦＦ（スイッチＳＷの切断）する手段を有するものとして構成される。前記ＡＣアダプタ誤接続防止の構成は、前記ＡＣアダプタからの電力供給の切断手段に代わって、警告が行われるように構成させることも出来る。例えば、警告手段を更に具備させ、ＡＣアダプタ誤接続防止の構成として、前記警告手段が作動するよう構成させることも出来る。すなわち、警告を認識した場合、ＡＣアダプタが規格外であったことを認識するから、取り換えることが出来るようになるからである。勿論、上記複数の手段を共に具備させていても良い。そして、上記のように構成させていたならば、ＡＣアダプタのＤＣジャック挿入時に電圧レベルとノイズレベルとが検出され、該ＡＣアダプタが規格内のものであるか規格外のものであるかを判定できる。この結果、ＶｏＩＰアダプタを使用するに際して、規格外のＡＣアダプタであった場合には、規格内のＡＣアダプタに交換するようになることから、規格外のＡＣアダプタ使用の問題点を解決できるようになる。例えば、規格外のＡＣアダプタを用いた場合、電話回線にハムノイズが重畳され、雑音問題が発生したり、又、酷い場合には、装置に過電圧が掛かり、装置故障とか焼損事故等が発生するが、斯かる問題点が解決されるようになる。特に、ＶｏＩＰアダプタにおけるＡＣアダプタの判定方法として、入力電圧範囲とノイズ許容レベルの二つの要素を採用したことから、単に、電圧レベルの監視による判定の場合よりも、ＡＣアダプタの判定が高精度になった。そして、ＤＣ入力−ＦＧ間のノイズレベルがＤＣジャック挿入時にチェックされることから、ＶｏＩＰアダプタにおけるハムノイズ問題が低減される。又、使用ＡＣアダプタに製造不良が有った場���、本装置と接続するだけで簡単に検査でき、工場における出荷検査を容易にすることも可能になる。そして、ＤＣ入力−ＦＧ間のノイズレベルを検出することから、ＶｏＩＰアダプタの如きのＦＧを持ち、かつ、ＤＣ入力−ＦＧ間のノイズの影響を受ける電話回線インターフェースを備えた通信装置においては特に有効である。上記入力電圧監視手段は、好ましくはチャタリング防止回路を有する。又、上記ノイズレベル監視手段は、好ましくはチャタリング防止回路を有する。そして、上記ノイズレベル監視手段を構成するコンパレータは、好ましくはヒステリシス機能を有するものである。
【００１６】
第２の本発明はＶｏＩＰアダプタにおけるＡＣアダプタの誤接続防止方法である。そして、入力電圧を監視する入力電圧監視ステップを具備する。又、ノイズレベルを監視するノイズレベル監視ステップを具備する。更に、前記入力電圧監視ステップにおける入力電圧が基準値内のものであるか否か、かつ、前記ノイズレベル監視ステップにおけるノイズレベルが基準値内のものであるか否かを判定する判定ステップを具備する。又、前記判定ステップにおける判定の結果、入力電圧およびノイズレベルが共に基準値内のもので無かった場合、前記ＡＣアダプタの誤接続防止が図られる誤接続防止ステップを具備する。前記誤接続防止ステップは、判定ステップにおける判定の結果、入力電圧およびノイズレベルが共に基準値内のもので無かった場合、例えば警告手段に警告信号を出力させる警告ステップである。或いは、ＡＣアダプタからの電力供給を遮断する電力供給遮断ステップである。又は、警告手段に警告信号を出力させると共にＡＣアダプタからの電力供給を遮断するステップである。
【００１７】
以下、更に詳しく説明する。
【００１８】
図１〜図４は本発明になるＶｏＩＰアダプタにおけるＡＣアダプタの誤接続防止装置の一実施形態を示すもので、図１は全体の概略図、図２は入力電圧監視回路の概略図、図３はノイズレベル監視回路の概略図、図４はＡＣアダプタ判定回路の概略図である。
【００１９】
ＦＧ−ＳＧをショートする機能を有するＶｏＩＰアダプタにはＡＣアダプタ６が接続されている。すなわち、ＡＣアダプタ６により、ＤＣジャックを介して装置（ＶｏＩＰアダプタ）にＤＣ電圧が供給されるようになっている。そして、ＶｏＩＰアダプタは、入力電圧監視回路（入力電圧監視手段）１、ノイズレベル監視回路（ノイズレベル監視手段）２、ＡＣアダプタ判定回路（判定手段）３、アラーム出力制御回路４やＬＥＤ（警告手段）、並びにリレー回路５を有している。
【００２０】
上記入力電圧監視回路1は、ＤＣ入力と接続されており、入力電圧（ＡＣアダプタ6の出力電圧）のレベルを監視し、電圧レベルが予め設定されている値の範囲以内であれば、出力信号をＨｉｇｈ出力する機能を有する回路である。この種の電圧監視回路1は、コンパレータを用いて構成できる。すなわち、二つのコンパレータＡ，Ｂによって構成できる。その具体例が図２に示される。図２において、コンパレータＡは、入力電圧の許容最低電圧を、コンパレータＢは、入力電圧の許容最高電圧を各々監視する。各コンパレータの基準電圧は、使用するＡＣアダプタ６の出力範囲に合わせて抵抗と定電圧ダイオードを使用すれば任意に設定できる。コンパレータＡでは、基準電圧（−側）をＡＣアダプタ６の許容最低電圧とし、基準電圧よりも高い電圧レベルであれば、Ｈｉｇｈを出力する。コンパレータＢでは、基準電圧（＋側）を許容最高電圧として、入力電圧が基準電圧よりも低い電圧レベルであれば、Ｈｉｇｈを出力する。双方のコンパレータ出力のＡＮＤを取ることによって、ＡＣアダプタ６の出力が設定範囲内の場合にＨｉｇｈ出力されるものとなる。
【００２１】
上記ノイズレベル監視回路２は、ＦＧ−ＳＧをショートする機能を有するＶｏＩＰアダプタのＤＣ入力とＦＧ間のノイズレベルを監視し、ノイズレベルが予め設定されているノイズレベル以下であれば、出力信号をＨｉｇｈ出力する機能を有する回路である。この種のノイズレベル監視回路２も、コンパレータを用いて構成できる。すなわち、一つのコンパレータによって構成できる。その具体例が図３に示される。図３において、コンパレータは、基準電圧（＋側）に評価等で予め測定して決定された許容ノイズレベルを設定する。設定するノイズレベルは、抵抗と定電圧ダイオードにて任意に設定できる。コンパレータの−側入力はＤＣ入力とＦＧ間のノイズが印加されるように直流成分カット用コンデンサを挿入してＤＣ入力と接続される。そして、ノイズレベルが設定した値より小さい場合に、コンパレータはＨｉｇｈ出力するものとなる。
【００２２】
上記ＡＣアダプタ判定回路３は、入力電圧監視回路１の出力信号とノイズレベル検出回路２の出力信号がＡＮＤ回路で共にＨｉｇｈで無いことが確認された場合、アラーム出力制御回路４を作動せしめてＬＥＤ（警告手段）で警告表示すると共に電源スイッチであるリレー回路５をＯＦＦ（電源切断）する機能を有する回路である。このＡＣアダプタ判定回路３の詳細が図４に示される。尚、図４には、入力電圧監視回路１の出力信号及びノイズレベル監視回路２の出力信号のばたつきを考慮し、誤検出を防止する為、ＣＲを用いたチャタリング防止回路が設けられている。そして、入力電圧監視回路１の出力信号及びノイズレベル監視回路２の出力信号がチャタリング防止回路を介してＡＮＤ回路に入力されるようになっている。尚、チャタリング防止回路は、装置にクロック源などが有れば、フリップフロップ等のロジック回路で構成することも出来る。そして、ＡＮＤ回路の出力は、装置内部電源スイッチであるリレー回路５を駆動するリレー制御信号として出力される。同時に、ＡＣアダプタ判定回路（ＡＮＤ回路）３の出力がＮＧ（Ｌｏｗレベル）であった場合には、アラーム出力制御回路４を介してＬＥＤ等を点灯するアラーム出力信号として出力される。尚、アラーム出力制御回路4は、例えばＬＥＤの電流を引き込む単純なバッファ回路等を用いて簡単に構成できる。
【００２３】
上記のように構成させた場合、即ち、ＶｏＩＰアダプタが上記回路を具備していると、ＡＣアダプタ６のＤＣジャック挿入時に電圧レベルとノイズレベルが検出される。すなわち、電圧レベル及びノイズレベルが設定範囲内の値であることが検出（判定）されると、該使用ＡＣアダプタは規格品（純正品）であることが判る。そして、この場合、該使用ＡＣアダプタは問題なしと判定された訳であるから、ＶｏＩＰアダプタの電源をＯＮにする。逆に、少なくとも電圧レベルとノイズレベルとの中の一方でもＬｏｗであった場合、該使用ＡＣアダプタは問題有りと判定された訳であるから、リレー回路５をＯＦＦとし、ＶｏＩＰアダプタの電源をＯＦＦにする。又、アラーム出力制御回路４を作動せしめて警告表示する。これにより、ユーザは、該使用ＡＣアダプタは問題有りと言うことを知ることになるので、適正なＡＣアダプタに交換するようになる。すなわち、ＶｏＩＰアダプタに規格外のＡＣアダプタが接続された場合、電話回線にハムノイズが重畳され、雑音問題が発生したり、酷い場合には、装置に過電圧が掛かり、装置故障とか焼損事故等が発生する恐れが有ったものの、斯かる問題点が解決される。
【００２４】
図５はノイズレベル監視回路の他の例の概略図である。
本実施例のノイズレベル監視回路は、ＤＣ入力−ＦＧ間のノイズレベル検出の安定度を向上させる為、直流カット用コンデンサ後に設けられるコンパレータとして、ヒステリシス機能を持ったコンパレータを用いたものである。これにより、スレッショルド付近にノイズレベルが有った場合に発生するコンパレータの出力の発振を防ぐことが出来、安定したノイズレベル検出が可能となる。
【００２５】
図６はノイズレベル監視回路の他の例の概略図である。
本実施例のノイズレベル監視回路は、ノイズレベル監視回路で監視するノイズレベルを、添付ＡＣアダプタを使用した場合のノイズレベルに合わせてノイズレベルが許容範囲内であることを確認できる構成としている。図６において、コンパレータＣは、ＤＣ入力−ＦＧ間の許容最低ノイズレベルを、コンパレータＤは、ＤＣ入力−ＦＧ間の許容最高ノイズレベルを各々監視する。各コンパレータの基準電圧は、予め設定されているノイズレベルに合わせて抵抗と定電圧ダイオードを使用すれば任意に設定できる。コンパレータＣでは、基準電圧（−側）をノイズレベルの許容最低電圧とし、基準電圧よりも高いノイズレベルであれば、Ｈｉｇｈを出力する。コンパレータＤでは、基準電圧（＋側）を許容最高電圧として、ＤＣ入力−ＦＧ間のノイズレベルが基準電圧よりも低い電圧レベルであれば、Ｈｉｇｈを出力する。双方のコンパレータ出力のＡＮＤを取ることで、ノイズレベルが設定範囲内の場合にＨｉｇｈ出力する回路を提供する。このようにノイズレベルの範囲を限定することで、より精度の高い選別が可能となる。
【符号の説明】
【００２６】
１      入力電圧監視回路（入力電圧監視手段）
２      ノイズレベル監視回路（ノイズレベル監視手段）
３      ＡＣアダプタ判定回路（判定手段）
４      アラーム出力制御回路
５      リレー回路
６      ＡＣアダプタ
【図１】
2010181331.tif 000003
【図２】
2010181331.tif 000004
【図３】
2010181331.tif 000005
【図４】
2010181331.tif 000006
【図５】
2010181331.tif 000007
【図６】
2010181331.tif 000008